(57)【要約】  ネットワークからのアシスト情報の有無に基づいてスモールセル検出動作を適切に行うこと。スモールセルを形成する基地局およびスモールセルをカバレッジ範囲に含むマクロセルを形成する基地局と通信するユーザ端末は、マクロセルから送信されるタイミング情報およびアシスト情報を含んだスモールセル検出指示を受信する受信部と、タイミング情報に従ってスモールセルから送信されるスモールセル検出参照信号に含まれるＰＳＳ／ＳＳＳを検出する検出部と、検出したＰＳＳ／ＳＳＳとアシスト情報に従ってスモールセル検出参照信号に含まれる測定用参照信号を測定する測定部と、を備える。
2015170569.tif 000002
【特許請求の範囲】
【請求項１】
スモールセルを形成する基地局および前記スモールセルをカバレッジ範囲に含むマクロセルを形成する基地局と通信するユーザ端末であって、
前記マクロセルから送信されるタイミング情報およびアシスト情報を含んだスモールセル検出指示を受信する受信部と、
前記タイミング情報に従って前記スモールセルから送信されるスモールセル検出参照信号に含まれる同期信号を検出する検出部と、
前記検出した同期信号と前記アシスト情報に従って前記スモールセル検出参照信号に含まれる測定用参照信号を測定する測定部と、を備え、
前記タイミング情報には、前記スモールセル検出参照信号のオフセット、周期および期間の値が含まれ、
前記アシスト情報には、前記スモールセルまたは送信ポイントの物理セルＩＤ、前記測定用参照信号に用いられるスクランブルＩＤ、時間周波数リソース構成インデックスおよびサブフレームオフセットの値が含まれることを特徴とするユーザ端末。
【請求項２】
前記アシスト情報には、前記サブフレームオフセットの値が含まれず、
前記測定部は、前記スモールセル検出参照信号期間内の前記同期信号が含まれないサブフレームに前記測定用参照信号があると想定して前記測定用参照信号を測定することを特徴とする請求項１に記載のユーザ端末。
【請求項３】
前記タイミング情報には、前記スモールセル検出参照信号期間の値が含まれず、
前記測定部は、前記同期信号が検出された際に、前記同期信号を含むサブフレームと同一サブフレームに前記測定用参照信号があると想定して前記測定用参照信号を測定することを特徴とする請求項１に記載のユーザ端末。
【請求項４】
前記アシスト情報には、前記物理セルＩＤまたは前記測定用参照信号に用いられるスクランブルＩＤの値が含まれず、
前記測定部は、前記同期信号検出により得られた物理セルＩＤを前記測定用参照信号に用いられるスクランブルＩＤと想定し、前記検出された物理セルＩＤに対応する前記時間周波数リソース構成インデックスについて前記測定用参照信号を測定することを特徴とする請求項１に記載のユーザ端末。
【請求項５】
前記アシスト情報には、前記物理セルＩＤおよび前記測定用参照信号に用いられるスクランブルＩＤの値が含まれず、
前記測定部は、前記同期信号検出により得られた物理セルＩＤを前記測定用参照信号に用いられるスクランブルＩＤと想定し、前記アシスト情報として通知されたすべての前記時間周波数リソース構成インデックスとの組み合わせについて前記測定用参照信号を測定することを特徴とする請求項１に記載のユーザ端末。
【請求項６】
前記アシスト情報には、前記物理セルＩＤおよび前記測定用参照信号に用いられるスクランブルＩＤの値が含まれず、
前記測定部は、前記同期信号検出により得られた物理セルＩＤに対して特定のルールから得られる値を含む時間周波数リソース構成インデックスについて前記測定用参照信号を測定することを特徴とする請求項１に記載のユーザ端末。
【請求項７】
前記アシスト情報には、前記測定用参照信号に用いられるスクランブルＩＤ、時間周波数リソース構成インデックスおよびサブフレームオフセットの値が含まれず、
前記測定部は、前記同期信号検出により得られた物理セルＩＤを前記測定用参照信号に用いられるスクランブルＩＤと想定し、すべての時間周波数リソース構成インデックス候補との組み合わせについて前記測定用参照信号を測定するか、または、前記同期信号検出により得られた物理セルＩＤに対して特定のルールから得られる値を含む時間周波数リソース構成インデックスについて前記測定用参照信号を測定することを特徴とする請求項１に記載のユーザ端末。
【請求項８】
前記アシスト情報が通知されず、
前記測定部は、前記同期信号検出により得られた物理セルＩＤを前記測定用参照信号に用いられるスクランブルＩＤと想定し、すべての時間周波数リソース構成インデックス候補との組み合わせについて前記測定用参照信号を測定するか、または、前記同期信号検出により得られた物理セルＩＤに対して特定のルールから得られる値を含む時間周波数リソース構成インデックスについて前記測定用参照信号を測定することを特徴とする請求項１に記載のユーザ端末。
【請求項９】
スモールセルをカバレッジ範囲に含むマクロセルを形成するとともに、前記スモールセルに接続可能なユーザ端末と通信を行う基地局であって、
前記スモールセルから送信されるスモールセル検出参照信号を用いた検出処理をユーザ端末に指示する指示部と、
前記ユーザ端末にタイミング情報およびアシスト情報を含んだスモールセル検出指示を送信する送信部と、を備え、
前記送信部は、前記タイミング情報には、スモールセル検出参照信号のオフセット、周期および期間の値を含め、前記アシスト情報には、前記スモールセルまたは送信ポイントの物理セルＩＤ、前記測定用参照信号に用いられるスクランブルＩＤ、時間周波数リソース構成インデックスおよびサブフレームオフセットの値の少なくとも１つを含めまたはいずれも含まないことを特徴とする基地局。
【請求項１０】
スモールセルを形成する基地局および前記スモールセルをカバレッジ範囲に含むマクロセルを形成する基地局と通信するユーザ端末の無線通信方法であって、
前記マクロセルから送信されるタイミング情報およびアシスト情報を含んだスモールセル検出指示を受信する工程と、
前記タイミング情報に従って前記スモールセルから送信されるスモールセル検出参照信号に含まれる同期信号を検出する工程と、
前記検出した同期信号と前記アシスト情報に従ってスモールセル検出参照信号に含まれる測定用参照信号を測定する工程と、を有し、
前記タイミング情報には、前記スモールセル検出参照信号のオフセット、周期および期間の値が含まれ、
前記アシスト情報には、スモールセルまたは送信ポイントの物理セルＩＤ、前記測定用参照信号に用いられるスクランブルＩＤ、時間周波数リソース構成インデックスおよびサブフレームオフセットの値の少なくとも１つを含めまたはいずれも含まないことを特徴とする無線通信方法。
【発明の詳細な説明】
【技術分野】
【０００１】
本発明は、次世代移動通信システムにおけるユーザ端末、基地局および無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。【０００３】
また、ＬＴＥからのさらなる広帯域化および高速化を目的として、ＬＴＥの後継システムも検討されている（たとえば、ＬＴＥアドバンストまたはＬＴＥエンハンスメントと呼ぶこともある（以下、「ＬＴＥ−Ａ」という））。ＬＴＥ−Ａシステムでは、半径数キロメートル程度の広範囲のカバレッジエリアを有するマクロセル内に、半径数十メートル程度の局所的なカバレッジエリアを有するスモールセル（たとえば、ピコセル、フェムトセルなど）が形成されるＨｅｔＮｅｔ（Heterogeneous  Network）が検討されている（非特許文献２）。また、ＨｅｔＮｅｔでは、マクロセル（マクロ基地局）とスモールセル（スモール基地局）間で同一周波数帯だけでなく、異なる周波数帯のキャリアを用いることも検討されている。
【先行技術文献】
【非特許文献】
【０００４】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【非特許文献２】3GPP  TR  36.814  “E-UTRA  Further  advancements  for  E-UTRA  physical  layer  aspects”
【発明の概要】
【発明が解決しようとする課題】
【０００５】
上述のＨｅｔＮｅｔでは、マクロセル内に多数のスモールセルを配置することが想定される。この場合、たとえば、トラフィックの大きい場所にスモールセルを局所的に配置し、セル間でのオフロード効果を図ることが想定される。このような環境において、ユーザ端末が効率的にスモールセルを検出して接続する方法として、新たにスモールセル検出用メカニズム（Small  cell  discovery）の導入が検討されている。ここでいう「検出（discovery）」とは、セルおよび送信ポイント（ＴＰ）の識別（cell/transmission  point  identification）、時間および周波数の粗同期（coarse  time/frequency  synchronization）、接続中のセルと同一周波数内および異周波数間ＲＲＭ（Radio  Resource  Management）測定（intra/inter-frequency  RRM  measurement）を少なくとも含む動作の総称である。【０００６】
スモールセル検出（Small  cell  discovery）において、ユーザ端末はネットワーク、たとえばマクロセルに接続中の状態であることが想定されるため、ネットワークは必要に応じてスモールセル検出のためのアシスト情報を提供することが可能である。しかしながら、提供可能なアシスト情報はネットワーク構成や実装によって異なることが想定されるため、ＰＳＳ／ＳＳＳ／ＣＲＳ／ＣＳＩ−ＲＳなどを含むＤＲＳ（Discovery  Reference  Signal）を用いるスモールセル検出（Small  cell  discovery）動作として、ネットワークからのアシスト情報の有無に対応するユーザ端末の各動作を規定することが好ましい。【０００７】
本発明はかかる点に鑑みてなされたものであり、ネットワークからのアシスト情報の有無に基づいてスモールセル検出動作を適切に行うことができるユーザ端末、基地局および無線通信方法を提供することを目的とする。
【課題を解決するための手段】
【０００８】
本発明のユーザ端末は、スモールセルを形成する基地局および前記スモールセルをカバレッジ範囲に含むマクロセルを形成する基地局と通信するユーザ端末であって、前記マクロセルから送信されるタイミング情報およびアシスト情報を含んだスモールセル検出指示を受信する受信部と、前記タイミング情報に従って前記スモールセルから送信されるスモールセル検出参照信号に含まれる同期信号を検出する検出部と、前記検出した同期信号と前記アシスト情報に従って前記スモールセル検出参照信号に含まれる測定用参照信号を測定する測定部と、を備え、前記タイミング情報には、前記スモールセル検出参照信号のオフセット、周期および期間の値が含まれ、前記アシスト情報には、前記スモールセルまたは送信ポイントの物理セルＩＤ、前記測定用参照信号に用いられるスクランブルＩＤ、時間周波数リソース構成インデックスおよびサブフレームオフセットの値が含まれることを特徴とする。
【発明の効果】
【０００９】
本発明によれば、ネットワークからのアシスト情報の有無に基づいてスモールセル検出動作を適切に行うことができる。
【図面の簡単な説明】
【００１０】
【図１】スモールセル検出におけるＤＲＳを説明する図である。
【図２】スモールセル検出におけるＤＲＳを説明する図である。
【図３】スモールセルに設定された物理セルＩＤ（ＰＣＩ）、スクランブルＩＤおよびリソース構成を示す図である。
【図４】図１におけるＤＲＳの構成を説明する図である。
【図５】ユーザ端末による測定例を説明する図である。
【図６】ユーザ端末による測定例を説明する図である。
【図７】時間周波数リソース構成インデックスの一例を説明する図である。
【図８】ＣＲＳおよびＰＲＳの構成を説明する図である。
【図９】本実施の形態に係る無線通信システムの概略構成の一例を示す図である。
【図１０】本実施の形態に係る無線基地局の全体構成の一例を示す図である。
【図１１】本実施の形態に係るマクロ基地局の機能構成の一例を示す図である。
【図１２】本実施の形態に係るスモール基地局の機能構成の一例を示す図である。
【図１３】本実施の形態に係るユーザ端末の全体構成の一例を示す図である。
【図１４】本実施の形態に係るユーザ端末の機能構成の一例を示す図である。
【発明を実施するための形態】
【００１１】
以下、本発明の実施の形態について、図面を参照して詳細に説明する。
スモールセル検出においては、ＲＲＣ（Radio  Resource  Control）接続状態（RRC  CONNECTED）のユーザ端末に対し、ＤＲＳ−based  measurementを設定（configure）することができる。また、各キャリアには、１つの測定タイミング構成（measurement  timing  configuration）が設定される。この測定タイミング構成には、少なくともＤＲＳのオフセットと周期が含まれる。ＤＲＳは少なくともＰＳＳ／ＳＳＳ（Primary  Synchronization  Signal/Secondary  Synchronization  Signal）を含み、それに加えてＣＲＳ（Cell-specific  Reference  Signal）またはＣＳＩ−ＲＳ（Channel  State  Information−Reference  Signal）のいずれかあるいはその両方を含む。
【００１２】
スモールセル検出においては、ユーザ端末は、ネットワーク（たとえば基地局）からのアシストを利用してスモールセルを検出する。具体的には、スモールセルがＤＲＳを長周期で送信し、ネットワークはＤＲＳを測定するタイミング情報などをユーザ端末に通知し、ユーザ端末は通知されたタイミングなどを用いてＤＲＳの測定を行う。また、ネットワークは、当該ＤＲＳを検出したユーザ端末から報告される受信状態（ＲＳＲＰ（Reference  Signal  Received  Power）／ＲＳＲＱ（Reference  Signal  Received  Quality））などに基づいて、スモールセルに対するユーザ端末の接続を制御することが想定されている。
【００１３】
ＲＲＣ接続状態のユーザ端末は、接続セルから測定タイミング構成を設定されるため、ＤＲＳが送信されるタイミングでのみＤＲＳ検出および測定を効率的に実施可能である。また、マクロセルとスモールセルのタイミングが伝播遅延差などでずれていたとしても、ＰＳＳ／ＳＳＳによりＤＲＳタイミングの捕捉が可能である。
【００１４】
図１Ａは、スモールセルを形成するスモール基地局ｅＮＢ２と、スモールセルをカバレッジ範囲に含むマクロセルを形成するマクロ基地局ｅＮＢ１と、マクロ基地局ｅＮＢ１およびスモール基地局ｅＮＢ２と通信可能なユーザ端末ＵＥとから構成されるシステムを示している。マクロ基地局ｅＮＢ１とスモール基地局ｅＮＢ２とは、同期しているか、あるいはタイミング差を互いに知っている。
【００１５】
マクロ基地局ｅＮＢ１は、当該基地局ｅＮＢ１に接続中のユーザ端末ＵＥに対して、ＤＲＳを利用したスモールセル検出の有無を指示する。スモールセル検出を行う場合、マクロ基地局ｅＮＢ１は、タイミング情報（測定タイミング構成）をユーザ端末ＵＥに通知する。さらに、マクロ基地局ｅＮＢ１は、アシスト情報をユーザ端末ＵＥに通知してもよい。
【００１６】
マクロ基地局ｅＮＢ１は、上位レイヤシグナリング（たとえばＲＲＣシグナリング）を用いて、当該スモールセル検出をユーザ端末に指示する。具体的には、マクロ基地局ｅＮＢ１は、ＤＲＳを利用したスモールセル検出の有無に関する情報を、測定対象を定義する情報要素（MeasObjectEUTRA（以下、「ＭｅａｓＯｂｊｅｃｔ」とも記す））に含めてユーザ端末に通知する。たとえば、マクロ基地局ｅＮＢ１は、ＭｅａｓＯｂｊｅｃｔ中に、スモールセル検出指示（DiscoveryConfig）を含めてユーザ端末ＵＥに通知する一方で、タイミング情報およびアシスト情報として、たとえばスモールセル検出用参照信号構成を定義する情報要素（DiscoveryRS-Config）に含めて、ユーザ端末ＵＥに通知する。
【００１７】
ネットワークからスモールセル検出を指示されたユーザ端末は、ＤＲＳを利用したスモールセル検出を実行する。
【００１８】
図１Ｂに示すように、スモールセルがはじめにＤＲＳを送信するまでの期間をＤＲＳオフセットとする。ＤＲＳはＤＲＳ周期で送信される。ＤＲＳ期間（duration）は一度のＤＲＳ周期内でＤＲＳに含まれる同期信号や測定用参照信号が送信される時間長である。これらのＤＲＳオフセット、ＤＲＳ周期およびＤＲＳ期間の情報が、タイミング情報に含まれる。
【００１９】
ＤＲＳのデザインとして、図２に示す２つのオプションが検討されている。スモールセル検出を導入する目的の一つはスモールセルがオンオフする場合に、オフ状態のセルを測定可能とすることである。
【００２０】
図２Ａに示すＤＲＳのオプション＃１では、ＰＳＳ／ＳＳＳ／ＣＲＳを長周期かつ短時間バーストで送信する。ＤＲＳは通常のオン状態では、常に送信している同期信号（ＳＳ）およびＣＲＳのサブセットとなる。図２Ａに示すように、オン状態では、５［ｍｓ］周期でＰＳＳ／ＳＳＳが送信され、１［ｍｓ］周期でＣＲＳが送信されるとともに、データ信号が送信される。オフ状態では、たとえば４０［ｍｓ］周期でＰＳＳ／ＳＳＳおよびＣＲＳが１［ｍｓ］間送信される。
【００２１】
図２Ｂに示すＤＲＳのオプション＃２では、ＰＳＳ／ＳＳＳ／ＣＳＩ−ＲＳを長周期かつ短時間バーストで送信する。ＤＲＳのうち、ＰＳＳ／ＳＳＳはオプション＃１と同様にオン状態においては通常の同期信号（ＳＳ）のサブセットである。一方、ＤＲＳのうちＣＳＩ−ＲＳは通常のＣＳＩ測定用のＣＳＩ−ＲＳとは別にディスカバリ用としてオンオフ状態で送信される。図２Ｂに示すように、オン状態では、５［ｍｓ］周期でＰＳＳ／ＳＳＳが送信され、１［ｍｓ］周期でＣＲＳが送信されるとともに、データ信号が送信される。ディスカバリ用ＣＳＩ−ＲＳは、オンオフ状態に関わらず、たとえば４０［ｍｓ］周期で１［ｍｓ］間送信される。
【００２２】
Ｒｅｌ．８  ＬＴＥから用いられているＰＳＳ／ＳＳＳは、５０４個の物理セルＩＤ（ＰＣＩＤ：Physical  Cell  ID）をユーザ端末が自律的にサーチ可能とするように設計されている。ネットワークが、ユーザ端末に周辺セルの物理セルＩＤリストを通知する仕組みはあるが、このリストが通知されなくてもユーザ端末は周辺セルの物理セルＩＤを受信したＰＳＳ／ＳＳＳから認識できる。
【００２３】
ＤＲＳオプション＃１で送信するＣＲＳは、通常では物理セルＩＤによって送信系列や送信リソース位置が一意に決まる。したがって、ＰＳＳ／ＳＳＳによってある物理セルＩＤが検出された際、対応するセルのＲＳＲＰ／ＲＳＲＱをどのリソースまたは系列で測定すればよいかが一意に決まる。ＤＲＳオプション＃１の場合、測定タイミング構成以外のアシスト情報がなくても、ユーザ端末は周辺スモールセルの検出および測定ができる。
【００２４】
一方、ＤＲＳオプション＃２でディスカバリ用ＣＳＩ−ＲＳを送信する場合において、ユーザ端末は、ネットワークから上位レイヤシグナリングで値を指定されない場合には、送信系列を決定するスクランブルＩＤ（Scrambling  ID）としてＰＳＳ／ＳＳＳで用いられるものと同一の物理セルＩＤを用いていると認識する。また、ユーザ端末は、ネットワークから値を指定された場合には、スクランブルＩＤとしてその値を用いる。しかしながら、送信リソース位置（CSI-RS  configuration  index、CSI-RS  subframe  config、CSI-RS  subframe  offset）は、通常では物理セルＩＤと無関係であるため、ネットワークから通知される必要がある。
【００２５】
このようにＤＲＳオプション＃２の場合、通常ではセル固有のリソース構成インデックス（resource  configuration  index）を別途通知する仕組みを導入しないと、ユーザ端末はどのリソースで検出および測定を行うのか知ることができない。物理セルＩＤ５０４個とＣＳＩ−ＲＳ構成（configuration）最大２０パターンの組み合わせ数は約１万にもなるためである。したがって、ＤＲＳオプション＃２の場合、どのセルがどのＣＳＩ−ＲＳ構成を使っているのかについてユーザ端末に通知することが想定される。
【００２６】
ＣＳＩ測定用ＣＳＩ−ＲＳの場合には、測定対象のサービングセルの情報だけをユーザ端末に通知すればよい。しかし、ディスカバリ用ＣＳＩ−ＲＳの場合には、ネットワークは、検出候補となる周辺セルすべてについてＣＳＩ−ＲＳ構成のセットをユーザ端末に通知しなければならない。
【００２７】
一般に周辺のスモールセルすべてについて、たとえばスクランブルＩＤとＣＳＩ−ＲＳ構成のセットであるアシスト情報を正しく設定および管理するのは困難である。たとえば、新しくセルを設置する場合、どの周辺セルの情報までをアシスト情報として設定および管理するのかという問題がある。また、新設セルに関するアシスト情報を、周辺セルのすべてに追加しなければならないのかという問題がある。
【００２８】
一方、１つの基地局ｅＮＢ配下のＲＲＥ（Remote  Radio  Equipment）が複数ある構成の場合、各ＲＲＥの情報を１つの基地局ｅＮＢで設定および管理することは簡易である。このようなネットワーク構成における運用形態の１つとして、基地局ｅＮＢ配下のＲＲＥすべてに同一物理セルＩＤを設定する同一セルＩＤ運用がある。
【００２９】
しかしながら、ＤＲＳオプション＃１のように物理セルＩＤに基づいて測定用参照信号の系列やリソース位置等すべてが決まる場合、同一セルＩＤ運用時の送信ポイント（Transmission  Point）間で全く同じ測定用参照信号が送信されてしまうため、各送信ポイントが識別できないという問題がある。ＤＲＳオプション＃２のようにＣＳＩ−ＲＳを用いるならば、物理セルＩＤとは異なるスクランブルＩＤやリソース構成を各送信ポイントに個別に設定することができるため、同一セルＩＤ運用時でも送信ポイント認識や測定ができる。
【００３０】
図３は、スモールセルに設定された物理セルＩＤ（ＰＣＩ）、スクランブルＩＤおよびリソース構成を示す図である。図３に示すように、同一セルＩＤ運用時において物理セルＩＤ（ＰＣＩ）とＤＲＳオプション＃２における測定用参照信号のスクランブルＩＤおよびリソース構成とは分離することが可能である。
【００３１】
本発明者らは、同一セルＩＤ運用時の送信ポイント識別を可能とすることと、測定タイミング構成以外のアシスト情報が得られない場合にもＤＲＳに基づくスモールセル検出および測定を可能とすることを両立するため、スモールセル検出におけるユーザ端末動作を、測定タイミング構成以外のアシスト情報が得られる場合と得られない場合とのそれぞれで規定することを見出した。
【００３２】
たとえば、１つの基地局ｅＮＢの配下に多数のＲＲＥがスモールセルとして張り出されている場合、基地局ｅＮＢはアシスト情報として測定用参照信号のスクランブルＩＤや対応する時間周波数リソース構成、対応する物理セルＩＤをユーザ端末に通知し、ユーザ端末は設定されたアシスト情報に従ってＤＲＳの検出および測定をする。
【００３３】
あるいは、各スモールセルが異なる基地局ｅＮＢであり、アシスト情報の管理が難しい場合、基地局ｅＮＢは接続ユーザ端末に対してタイミング情報以外のアシストを行わない。この場合には、ユーザ端末が自律的に測定用参照信号の系列パターンおよび測定リソース位置を判断できるよう、ＰＳＳ／ＳＳＳから得られる物理セルＩＤなどに基づく事前ルールを規定する。
【００３４】
このようにユーザ端末動作を規定することにより、ネットワークとして各スモールセルのＤＲＳ構成に関する詳細な情報を管理およびアシストできない場合でも、ユーザ端末はＤＲＳの検出および測定を自律的に行うことができる。あるいは、ネットワークとして各スモールセルのＤＲＳ構成に関する詳細な情報を管理およびアシストできる場合には、それを利用することでユーザ端末に対してより効率的なＤＲＳ検出および測定を実施させることができる。さらに、同一セルＩＤ運用時の送信ポイント認識などにも対応することができる。
【００３５】
＜動作１＞
ユーザ端末に、タイミング情報として共通のＤＲＳオフセット、周期および期間が通知され、さらにネットワークとして各スモールセルまたは送信ポイントのＤＲＳ送信に関するすべての情報を正確に管理できている場合について検討する。
【００３６】
この場合、ユーザ端末には、タイミング情報に加えて、アシスト情報として、各スモールセルまたは送信ポイントの物理セルＩＤ、時間周波数リソース構成インデックスおよび測定用参照信号に用いられるスクランブルＩＤが通知される。時間周波数リソース構成インデックスは各スモールセルまたは送信ポイントに複数設定してもよい。さらに、各スモールセルまたは送信ポイントで測定用参照信号を送信するサブフレームをシフト可能な場合は、アシスト情報としてサブフレームオフセットも通知する。
【００３７】
図４は、図１におけるＤＲＳを示す図である。このＤＲＳでは、タイミング情報として、ＤＲＳオフセット（DRS  offset）、ＤＲＳ周期（DRS  period）およびＤＲＳ期間（DRS  duration）が通知される。図４に示す例では、ＤＲＳ期間は３サブフレームであり、先頭のサブフレームで同期信号としてＰＳＳ／ＳＳＳを、残りのサブフレームで測定用参照信号としてＣＳＩ−ＲＳを送信している。さらに、このＤＲＳでは、アシスト情報の一例として、物理セルＩＤ（PCID）、スクランブルＩＤ（Scrambling  ID）、ＣＳＩ−ＲＳ構成インデックス（CSI-RS  config）およびサブフレームオフセット（Subframe  offset）が通知される。
【００３８】
ユーザ端末は上記の情報が通知された場合、これらを利用してＤＲＳ測定を実施する。ユーザ端末は、タイミング情報に従ってＰＳＳ／ＳＳＳを検出する際に、検出する候補を通知された周辺セルリストに含まれる物理セルＩＤに限定してもよいし、限定しなくてもよい。ユーザ端末は、ＰＳＳ／ＳＳＳ検出により得られた物理セルＩＤに対応するスモールセルまたは送信ポイントの測定用参照信号を、通知された情報に従って測定してもよいし、通知されたすべての測定用参照信号を測定してもよい。
【００３９】
すなわち、ユーザ端末は、ＰＳＳ／ＳＳＳをタイミング同期のみに使用することもできるし、ＰＳＳ／ＳＳＳをタイミング同期と物理セルＩＤの認識に使用することもできる。
【００４０】
＜動作２＞
ユーザ端末に、ＤＲＳ期間が含まれるタイミング情報が通知されるが、アシスト情報に各スモールセルまたは送信ポイントのサブフレームオフセットの値が含まれていない場合について検討する。
【００４１】
この場合、ユーザ端末は、ＤＲＳ期間内の既知のサブフレーム位置に測定用参照信号が配置されていると想定して測定動作を行ってもよい。測定用参照信号が配置されていると想定する既知のサブフレーム位置は、仕様において規定すればよく、たとえばＰＳＳ／ＳＳＳが含まれないサブフレームとすることができる（図５Ａ参照）。あるいは、ユーザ端末は、ＤＲＳ期間内のすべてのサブフレーム位置に測定用参照信号が配置されていると想定して測定動作を行ってもよい。
【００４２】
図５Ａに示す例では、ＤＲＳ期間が４サブフレームであり、ユーザ端末は、ＰＳＳ／ＳＳＳが含まれないサブフレームに測定用参照信号（図５ＡにおいてＣＳＩ−ＲＳ）が配置されていると想定して測定動作を行っている。
【００４３】
＜動作３＞
ユーザ端末に通知されるタイミング情報にＤＲＳ期間が含まれない場合について検討する。
【００４４】
この場合、ユーザ端末は、ＰＳＳ／ＳＳＳが検出されたときは、そのＰＳＳ／ＳＳＳを含むサブフレームを基準として既知のサブフレーム位置に測定用参照信号が配置されていると想定して測定動作を行ってもよい。ＰＳＳ／ＳＳＳを含むサブフレームを基準とした既知のサブフレーム位置は、仕様において規定すればよく、たとえばＰＳＳ／ＳＳＳを含むサブフレームと同じサブフレームやその直後のサブフレームとすることができる（図５Ｂ参照）。
【００４５】
図５Ｂに示す例では、ＤＲＳ期間の通知がなく、ユーザ端末は、ＰＳＳ／ＳＳＳを含むサブフレームと同じサブフレームに測定用参照信号（図５ＢにおいてＣＳＩ−ＲＳ）が配置されていると想定して測定動作を行っている（左側の例）。あるいは、ユーザ端末はＰＳＳ／ＳＳＳを含むサブフレームの直後のサブフレームに測定用参照信号（図５ＢにおいてＣＳＩ−ＲＳ）が配置されていると想定して測定動作を行っている（右側の例）。
【００４６】
＜動作４＞
ユーザ端末に通知されるアシスト情報に各スモールセルまたは送信ポイントの物理セルＩＤが含まれない場合について検討する。
【００４７】
この場合、ユーザ端末は、ＰＳＳ／ＳＳＳ検出により得られた物理セルＩＤについて、この物理セルＩＤを測定用参照信号に用いられるスクランブルＩＤと想定して、検出された物理セルＩＤ（スクランブルＩＤ）に対応する時間周波数リソース構成について測定を行ってもよい。
【００４８】
あるいは、ユーザ端末は、ＰＳＳ／ＳＳＳで検出されたタイミングにおいて、アシスト情報として通知された測定用参照信号に用いられるスクランブルＩＤと時間周波数リソース構成のすべてのセットについて測定を行ってもよい。この場合、ユーザ端末は、物理セルＩＤを測定用参照信号に用いられるスクランブルＩＤと想定しない。
【００４９】
図６Ａに示す例のように、ユーザ端末にアシスト情報として測定用参照信号に用いられるスクランブルＩＤが通知された場合、ユーザ端末は、これらの通知されたスクランブルＩＤと時間周波数リソース構成インデックス（図６ＡにおいてＣＳＩ−ＲＳ構成インデックス）のすべてのセットについて測定を行ってもよい。あるいは、ユーザ端末は、ＰＳＳ／ＳＳＳ検出で得られた物理セルＩＤを測定用参照信号に用いられるスクランブルＩＤと想定して、検出された物理セルＩＤに対応する時間周波数リソース構成インデックスについてのみ測定を行ってもよい。
【００５０】
＜動作５＞
ユーザ端末に通知されるアシスト情報に各スモールセルまたは送信ポイントの測定用参照信号に用いられるスクランブルＩＤが含まれない場合について検討する。
【００５１】
この場合、ユーザ端末は、ＰＳＳ／ＳＳＳ検出により得られた物理セルＩＤについて、この物理セルＩＤを測定用参照信号に用いられるスクランブルＩＤと想定して、対応する時間周波数リソース構成について測定を行ってもよい。
【００５２】
あるいは、ユーザ端末は、アシスト情報として通知されたスクランブルＩＤを物理セルＩＤと想定して、ＰＳＳ／ＳＳＳで検出されたタイミングにおいてアシストされたすべての時間周波数リソース構成について測定を行ってもよい。
【００５３】
＜動作６＞
ユーザ端末に通知されるアシスト情報に各スモールセルまたは送信ポイントの物理セルＩＤおよび測定用参照信号に用いられるスクランブルＩＤの両方が含まれない場合について検討する。
【００５４】
この場合、ユーザ端末は、ＰＳＳ／ＳＳＳ検出により得られた物理セルＩＤについて、この物理セルＩＤをスクランブルＩＤと想定し、通知されたすべての時間周波数リソース構成との組み合わせを測定してもよい。あるいは、ユーザ端末は、検出された物理セルＩＤに対して既知のルールから得られる値を含む時間周波数リソース構成について測定してもよい。既知のルールは、仕様において規定すればよく、たとえばｍｏｄ（ＰＣＩＤ，５）とすることができる。
【００５５】
図６Ｂに示す例では、ユーザ端末は、ＰＳＳ／ＳＳＳ検出により得られた物理セルＩＤをスクランブルＩＤと想定して、通知されたすべての時間周波数リソース構成インデックス（図６ＢにおいてＣＳＩ−ＲＳ構成インデックス）との組み合わせを測定してもよい。あるいは、ユーザ端末は、ｍｏｄ（ＰＣＩＤ，５）を含む時間周波数リソース構成インデックスについてのみ測定してもよい。たとえば検出した物理セルＩＤが１０である場合、ｍｏｄ（ＰＣＩＤ，５）＝０となるため、ユーザ端末は、図６Ｂにおける０を含む時間周波数リソース構成インデックスについて測定する。
【００５６】
各スモールセルまたは送信ポイントに設定する時間周波数リソース構成の数は、全セル共通のアシスト情報であるメジャメント構成の中で同時設定数を通知し、各スモールセルまたは送信ポイント個別のアシスト情報としては１つのインデックス値だけを通知してもよい（図７参照）。TS36.211  Table6.10.5.2-1における“Number  of  CSI  reference  signals  configured”がこの場合の同時設定数に対応する。
【００５７】
上記同時設定数が通知されない場合、ユーザ端末は、同時設定数＝１と想定して通知された時間周波数リソース構成を解釈してもよい。あるいは、ユーザ端末は、各スモールセルまたは送信ポイントのアシスト情報に含まれる最大の時間周波数リソース構成の個数を同時設定数と想定してもよい。
【００５８】
＜動作７＞
ユーザ端末に、アシスト情報として時間周波数リソース構成などの情報が通知されず、タイミング情報およびセルリスト（物理セルＩＤ）のみが通知される場合について検討する。
【００５９】
この場合、ユーザ端末は、ＰＳＳ／ＳＳＳ検出を行う際の対象をセルリストに基づいて限定してもよいし、限定しなくてもよい。ユーザ端末は、ＰＳＳ／ＳＳＳ検出により得られた物理セルＩＤを測定用参照信号に用いられるスクランブルＩＤと想定して、すべての時間周波数リソース構成候補との組み合わせについて測定してもよい。または、ユーザ端末は、通知された物理セルＩＤを測定用参照信号に用いられるスクランブルＩＤと想定して、すべての時間周波数リソース構成インデックスとの組み合わせを測定してもよい。
【００６０】
あるいは、ユーザ端末は、物理セルＩＤおよび既知のルールから得られる値を、その物理セルＩＤに対応する時間周波数リソース構成インデックスと想定して測定を行ってもよい。既知のルールは、仕様において規定すればよく、たとえばｍｏｄ（ＰＣＩＤ，Ｘ）とすることができる。Ｘの値は、同時設定数が共通アシスト情報として通知される場合にはその値を用いてよい。同時設定数が共通アシスト情報として通知されない場合には、Ｎｏｒｍａｌ  ＣＰ（Cyclic  Prefix）の場合はＸ＝２０、Ｅｘｔｅｎｄｅｄ  ＣＰの場合はＸ＝１６と想定して時間周波数リソース構成インデックスを導出してもよい。ＣＰ長はＰＳＳ／ＳＳＳ検出により導出されてもよいし、ネットワークからあらかじめ通知されてもよい。
【００６１】
＜動作８＞
ユーザ端末に、タイミング情報以外のアシスト情報が何も通知されない場合について検討する。
【００６２】
この場合、ユーザ端末は、ＰＳＳ／ＳＳＳ検出により得られた物理セルＩＤをスクランブルＩＤと想定して、すべての時間周波数リソース構成候補との組み合わせについて測定してもよい。あるいは、ユーザ端末は、得られた物理セルＩＤおよび既知のルールから得られる値をその物理セルＩＤに対応する時間周波数リソース構成インデックスと想定して測定を行ってもよい。既知のルールは、仕様において規定すればよく、たとえばｍｏｄ（ＰＣＩＤ，２０）とすることができる。
【００６３】
＜ユーザ端末の動作例＞
ユーザ端末は、ＰＳＳ／ＳＳＳをタイミング同期のみに使用し、測定用参照信号についてはアシスト情報として通知されたすべての候補を測定することができる。あるいは、ユーザ端末は、ＰＳＳ／ＳＳＳをタイミング同期と物理セルＩＤ認識に使用し、測定用参照信号については検出された物理セルＩＤに対応する候補を測定することができる。
【００６４】
まずユーザ端末は、タイミング情報に従ってＰＳＳ／ＳＳＳをサーチする。物理セルＩＤがアシストされている場合、検出候補を限定してもよいし、限定しなくてもよい。サーチの結果、０個以上の同期タイミングと物理セルＩＤとの組み合わせが見つかる。
【００６５】
続いて、ユーザ端末は、検出された同期タイミングに従って、測定用参照信号を用いてＲＳＲＰ／ＲＳＲＱを測定する。ユーザ端末は、同期タイミングとセットで検出された物理セルＩＤに基づいて測定用参照信号の測定候補を限定してもよいし、限定しなくてもよい。時間周波数リソース構成のアシスト情報がある場合は、そのうちの検出された物理セルＩＤに対応するものだけを測定対象としてもよいし、アシストされたすべてを測定対象としてもよい。時間周波数リソース構成のアシスト情報がない場合は、検出された物理セルＩＤに基づいて既知のルールに従って測定対象の時間周波数リソース構成を決めてもよいし、想定されるすべての候補を測定対象としてもよい。
【００６６】
本実施の形態では、ＤＲＳのオプション＃２では、ＰＳＳ／ＳＳＳ／ＣＳＩ−ＲＳを長周期かつ短時間バーストで送信する例に説明したが、ＣＳＩ−ＲＳの代わりにＣＲＳ（図８Ａ参照）やＰＲＳ（Positioning  Reference  Signal、図８Ｂ参照）を用いる場合も、上記動作１から動作８を同様に適用できる。
【００６７】
従来のＣＲＳやＰＲＳを用いる場合には、物理セルＩＤに基づくスクランブルＩＤおよび周波数シフトを適用する。この場合、アシストなしでもＰＳＳ／ＳＳＳから得られる物理セルＩＤに基づいてスモールセルまたは送信ポイントを測定できるが、同一セルＩＤ運用時の送信ポイント認識などは不可能である。
【００６８】
ＤＲＳ用ＣＲＳまたはＰＲＳの拡張例として、物理セルＩＤではなくネットワークから通知するＶＣＩＤ（Virtual  Cell  ID）に基づくスクランブルＩＤおよび周波数シフトを適用することにより、同一セルＩＤ運用時の送信ポイント認識に対応できる。ＤＲＳ期間のうち、各セルがそれぞれ一部のサブフレームのみで送信し、他サブフレームでは無送信（muting）とすることも可能である。ただし、ＣＲＳはオン状態のセルで通常どおり送信していないと従来のユーザ端末（Legacy  UE）に影響があるため、上記のような拡張は従来のユーザ端末が存在しない周波数キャリアで行うことを想定している。
【００６９】
上記の場合、スクランブルＩＤの通知の有無やＤＲＳ期間またはサブフレームオフセットなどの通知の有無に応じて、上記動作２、３、８などと同様のユーザ端末動作が考えられる。
【００７０】
（無線通信システムの構成）
以下、本実施の形態に係る無線通信システムの構成について説明する。この無線通信システムでは、上述のスモールセル検出を行う無線通信方法が適用される。
【００７１】
図９は、本実施の形態に係る無線通信システムの一例を示す概略構成図である。図９に示すように、無線通信システム１は、複数の無線基地局１０（１１および１２）と、各無線基地局１０によって形成されるセル内にあり、各無線基地局１０と通信可能に構成された複数のユーザ端末２０と、を備えている。無線基地局１０は、それぞれ上位局装置３０に接続され、上位局装置３０を介してコアネットワーク４０に接続される。
【００７２】
図９において、無線基地局１１は、たとえば相対的に広いカバレッジを有するマクロ基地局で構成され、マクロセルＣ１を形成する。無線基地局１２は、局所的なカバレッジを有するスモール基地局で構成され、スモールセルＣ２を形成する。なお、無線基地局１１および１２の数は、図９に示す数に限られない。
【００７３】
マクロセルＣ１およびスモールセルＣ２では、同一の周波数帯が用いられてもよいし、異なる周波数帯が用いられてもよい。また、無線基地局１１および１２は、基地局間インタフェース（たとえば、光ファイバ、Ｘ２インタフェース）を介して互いに接続される。
【００７４】
無線基地局１１と無線基地局１２との間、無線基地局１１と他の無線基地局１１との間または無線基地局１２と他の無線基地局１２との間では、デュアルコネクティビティ（ＤＣ）またはキャリアアグリゲーション（ＣＡ）が適用されてもよい。
【００７５】
ユーザ端末２０は、ＬＴＥ、ＬＴＥ−Ａなどの各種通信方式に対応した端末であり、移動通信端末だけでなく固定通信端末を含んでいてもよい。ユーザ端末２０は、無線基地局１０を経由して他のユーザ端末２０と通信を実行できる。
【００７６】
上位局装置３０には、たとえば、アクセスゲートウェイ装置、無線ネットワークコントローラ（ＲＮＣ）、モビリティマネジメントエンティティ（ＭＭＥ）等が含まれるが、これに限定されるものではない。
【００７７】
無線通信システム１では、下りリンクのチャネルとして、各ユーザ端末２０で共有される下り共有チャネル（ＰＤＳＣＨ：Physical  Downlink  Shared  Channel）、下り制御チャネル（ＰＤＣＣＨ：Physical  Downlink  Control  Channel、ＥＰＤＣＣＨ：Enhanced  Physical  Downlink  Control  Channel）、報知チャネル（ＰＢＣＨ）などが用いられる。ＰＤＳＣＨにより、ユーザデータや上位レイヤ制御情報、所定のＳＩＢ（System  Information  Block）が伝送される。ＰＤＣＣＨ、ＥＰＤＣＣＨにより、下り制御情報（ＤＣＩ）が伝送される。
【００７８】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）などが用いられる。ＰＵＳＣＨにより、ユーザデータや上位レイヤ制御情報が伝送される。
【００７９】
図１０は、本実施の形態に係る無線基地局１０の全体構成図である。図１０に示すように、無線基地局１０は、ＭＩＭＯ伝送のための複数の送受信アンテナ１０１と、アンプ部１０２と、送受信部１０３と、ベースバンド信号処理部１０４と、呼処理部１０５と、インタフェース部１０６とを備えている。
【００８０】
下りリンクにより無線基地局１０からユーザ端末２０に送信されるユーザデータは、上位局装置３０からインタフェース部１０６を介してベースバンド信号処理部１０４に入力される。
【００８１】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、たとえば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下り制御信号に関しても、チャネル符号化や逆高速フーリエ変換等の送信処理が行われて、各送受信部１０３に転送される。
【００８２】
各送受信部１０３は、ベースバンド信号処理部１０４からアンテナごとにプリコーディングして出力された下り信号を無線周波数帯に変換する。アンプ部１０２は、周波数変換された無線周波数信号を増幅して送受信アンテナ１０１により送信する。
【００８３】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００８４】
ベースバンド信号処理部１０４では、入力された上り信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、インタフェース部１０６を介して上位局装置３０に転送される。呼処理部１０５は、通信チャネルの設定や解放などの呼処理や、無線基地局１０の状態管理や、無線リソースの管理を行う。
【００８５】
インタフェース部１０６は、基地局間インタフェース（たとえば、光ファイバ、Ｘ２インタフェース）を介して隣接無線基地局と信号を送受信（バックホールシグナリング）する。あるいは、インタフェース部１０６は、所定のインタフェースを介して、上位局装置３０と信号を送受信する。
【００８６】
図１１は、本実施の形態に係るマクロ基地局１１の機能構成図である。なお、以下の機能構成は、マクロ基地局１１が有するベースバンド信号処理部１０４などによって構成される。
【００８７】
図１１に示すように、マクロ基地局１１は、スケジューラ（制御部）３０１、ＤＲＳパラメータ決定部３０２、スモールセル検出指示部３０３、ＤＬ信号生成部３０４、メジャメントレポート取得部３０５を少なくとも備えている。
【００８８】
スケジューラ３０１は、ユーザ端末２０に送信するＤＬ信号用の無線リソース、ユーザ端末２０が送信するＵＬ信号用の無線リソースの割り当て（スケジューリング）を行う。たとえば、スケジューラ３０１は、ユーザ端末２０に対して、スモールセル検出を行う場合にアシスト情報の生成をＤＬ信号生成部３０４に指示する。
【００８９】
この場合、スケジューラ３０１は、上記実施の形態で示したように、ＭｅａｓＯｂｊｅｃｔ中に、スモールセル検出指示（DiscoveryConfig）を含めてユーザ端末２０に通知する一方で、タイミング情報およびアシスト情報を、検出用参照信号構成を定義する情報要素（DiscoveryRS-Config）に含めるよう制御することができる。
【００９０】
スモールセル検出指示部３０３は、ユーザ端末２０に対してＤＲＳを用いたスモールセル検出の指示を制御する。たとえば、スモールセル検出指示部３０３は、マクロ基地局１１に接続中のユーザ端末（Connected  UE）に対して、所定の周波数におけるスモールセル検出の有無を指示する。
【００９１】
ＤＲＳパラメータ決定部３０２は、ユーザ端末２０に対してＤＲＳを用いたスモールセル検出の指示をする場合に、ＤＲＳのパラメータに関する情報を決定する。ＤＲＳのパラメータに関する情報としては、アシスト情報が挙げられる。ＤＲＳパラメータ決定部３０２で決定した情報は、スケジューラ３０１、ＤＬ信号生成部３０４に出力される。
【００９２】
ＤＬ信号生成部３０４は、スケジューラ３０１、ＤＲＳパラメータ決定部３０２からの指示に基づいてＤＬ信号を生成する。ＤＬ信号生成部３０４で生成された信号は、送受信部１０３を介してユーザ端末２０に送信される。
【００９３】
メジャメントレポート取得部３０５は、ユーザ端末から通知されるメジャメントレポートを取得する。メジャメントレポート取得部３０５は、ユーザ端末におけるＤＲＳを用いたスモールセル検出で得られた結果をメジャメントレポートとして受信する。そして、メジャメントレポート取得部３０５は、当該メジャメントレポートに基づいてユーザ端末２０のスモールセルへの接続を制御する。
【００９４】
図１２は、本実施の形態に係るスモール基地局１２の機能構成図である。なお、以下の機能構成は、スモール基地局１２が有するベースバンド信号処理部１０４などによって構成される。
【００９５】
図１２に示すように、スモール基地局１２は、ＵＬ信号検出部３１１、スケジューラ３１２、ＤＬ信号生成部３１３を少なくとも備えている。
【００９６】
ＵＬ信号検出部３１１は、ユーザ端末２０から送信されるＵＬ信号を検出する。ＵＬ信号検出部３１１が、ユーザ端末２０から通知されるメジャメントレポートを受信することも可能である。
【００９７】
スケジューラ３１２は、ユーザ端末２０に送信するＤＬ信号用の無線リソースの割り当て（スケジューリング）を行う。また、スケジューラ３１２は、ＤＲＳの送信を制御する。
【００９８】
ＤＬ信号生成部３１３は、スケジューラ３１２からの指示に基づいてＤＬ信号を生成する。たとえば、ＤＬ信号生成部３１３は、同期信号（ＰＳＳ／ＳＳＳ）、参照信号（ＣＲＳ）、スモールセル検出参照信号（ＤＲＳ）、制御信号、データ信号などを生成する。ＤＬ信号生成部３１３で生成された信号は、送受信部１０３を介してユーザ端末２０に送信される。
【００９９】
図１３は、本実施の形態に係るユーザ端末２０の全体構成図である。図１３に示すように、ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５と、を備えている。
【０１００】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理などがなされる。この下りリンクのデータのうち、下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１０１】
一方、上りリンクのユーザデータについては、アプリケーション部２０５からベースバンド信号処理部２０４に入力される。ベースバンド信号処理部２０４では、再送制御（ＨＡＲＱ：Ｈｙｂｒｉｄ  ＡＲＱ）の送信処理や、チャネル符号化、プリコーディング、ＤＦＴ処理、ＩＦＦＴ処理などが行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【０１０２】
図１４は、ユーザ端末２０が有するベースバンド信号処理部２０４の主な機能構成図である。図１４に示すように、ユーザ端末２０が有するベースバンド信号処理部２０４は、セル検出／測定部４０１、メジャメントレポート送信制御部４０２、ＵＬ信号生成部４０３を少なくとも有している。
【０１０３】
セル検出／測定部４０１は、スモール基地局１２から送信されるＤＲＳを用いたスモールセル検出を行う。また、セル検出／測定部４０１は、マクロ基地局１１から、スモールセル検出の指示に関する情報をＲＲＣシグナリングで受信する。また、セル検出／測定部４０１は、スモールセル検出を行う場合、マクロ基地局１１から通知されるＤＲＳのパラメータに関する情報（アシスト情報）に基づいて、ＤＲＳの検出を行う。
【０１０４】
メジャメントレポート送信制御部４０２は、セル検出／測定部４０１で行ったスモールセル検出の結果について、メジャメントレポートとしての送信を制御する。たとえば、メジャメントレポート送信制御部４０２は、スモールセル検出により得られた所定セルに対応するセル識別子／ＲＳＲＰ／ＲＳＲＱを取得する。この場合に、メジャメントレポート送信制御部４０２は、ネットワーク（基地局）に測定結果をメジャメントレポートとして報告するよう制御する。
【０１０５】
メジャメントレポート送信制御部４０２は、スモールセル検出により得られた結果について、メジャメントレポートの送信を制御する。
【０１０６】
ＵＬ信号生成部４０３は、メジャメントレポート送信制御部４０２からの指示に基づいて、メジャメントレポートなどを生成する。また、ＵＬ信号生成部４０３は、送達確認信号等の上り制御信号や上りデータ信号の生成も行う。
【０１０７】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【０１０８】
本出願は、２０１４年５月８日出願の特願２０１４−０９７１４３に基づく。この内容は、すべてここに含めておく。
【図１】
2015170569.tif 000003
【図２】
2015170569.tif 000004
【図３】
2015170569.tif 000005
【図４】
2015170569.tif 000006
【図５】
2015170569.tif 000007
【図６】
2015170569.tif 000008
【図７】
2015170569.tif 000009
【図８】
2015170569.tif 000010
【図９】
2015170569.tif 000011
【図１０】
2015170569.tif 000012
【図１１】
2015170569.tif 000013
【図１２】
2015170569.tif 000014
【図１３】
2015170569.tif 000015
【図１４】
2015170569.tif 000016
【国際調査報告】
2015170569.tif 000017
2015170569.tif 000018
2015170569.tif 000019